(57)【要約】  【課題】  従来のビデオカメラ等の画像再生装置では、再生される画像は１度に一つであるため、複数の人がそれぞれ同時に異なる好みの画像を見ることはできなかった。  【解決手段】  ランダムアクセス可能な記録媒体２０１から複数の画像ファイルを時分割で同時的に読み出し、表示処理も時分割処理することにより複数の画像を共に一つの表示装置（ＬＣＤ４０２又はＡＶ出力端子４０４）へ出力することも、複数の表示装置（ＬＣＤ４０２及びＡＶ出力端子４０４）の双方にそれぞれ出力することもできるようにした。【選択図】        図２
2005080219.tif 000002
【特許請求の範囲】
【請求項１】
時分割アクセスにより複数のファイルに同時的にアクセスすることが可能な記録媒体と、
該記録媒体に記録されている複数の画像データのファイルを時分割アクセスにより同時的に読み出すデータ読み出し手段と、
該データ読み出し手段が読み出した複数のファイルの画像データを共に表示装置に表示させる表示制御手段と
を備えたことを特徴とする画像再生装置。
【請求項２】
前記データ読み出し手段は、前記画像データが動画像である場合に、動画像を構成するフレーム単位でデータを間引いて画像データを前記記録媒体から読み出すべくなしてあることを特徴とする請求項１に記載の画像再生装置。
【請求項３】
前記表示制御手段は、画像サイズを縮小して前記表示装置に表示すべくなしてあることを特徴とする請求項１に記載の画像再生装置。
【請求項４】
前記表示制御手段は、複数の画像データを前記表示装置の画面に上下及び／又は左右に配列して表示すべくなしてあることを特徴とする請求項１又は３に記載の画像再生装置。
【請求項５】
画像表示を制御するための操作手段と、画像表示を制御するためのリモートコントロール装置とを備え、
前記表示制御手段は、前記操作手段の操作及び前記リモートコントロール装置の操作に応じて、前記表示装置に表示されているそれぞれ異なる画像データの表示制御を行なうべくなしてあることを特徴とする請求項４に記載の画像再生装置。
【請求項６】
前記表示制御手段は、複数の表示装置に前記データ読み出し手段が前記記録媒体から読み出した複数のファイルの画像データをそれぞれ表示すべくなしてあることを特徴とする請求項１に記載の画像再生装置。
【請求項７】
画像表示を制御するための操作手段と、画像表示を制御するためのリモートコントロール装置とを備え、
前記表示制御手段は、前記操作手段の操作及び前記リモートコントロール装置の操作に応じて、それぞれ異なる表示装置に表示されている画像データの表示制御を行なうべくなしてあることを特徴とする請求項６に記載の画像再生装置。
【請求項８】
時分割アクセスにより２つのファイルに同時的にアクセスすることが可能な記録媒体と、
該記録媒体に記録されている２つの画像データのファイルを時分割アクセスにより同時的に読み出すデータ読み出し手段と、
表示装置と、
前記データ読み出し手段が読み出した２つのファイルの画像データを共に前記表示装置に表示させる表示制御手段と
を備えたことを特徴とする画像再生装置。
【請求項９】
前記データ読み出し手段は、前記画像データが動画像である場合に、動画像を構成するフレーム単位でデータを間引いて画像データを前記記録媒体から読み出すべくなしてあることを特徴とする請求項８に記載の画像再生装置。
【請求項１０】
前記表示制御手段は、画像サイズを縮小して前記表示装置に表示すべくなしてあることを特徴とする請求項８に記載の画像再生装置。
【請求項１１】
前記表示制御手段は、２つの画像データを前記表示装置の画面に上下又は左右に配列して表示すべくなしてあることを特徴とする請求項８又は１０に記載の画像再生装置。
【請求項１２】
画像表示を制御するための操作手段と、画像表示を制御するためのリモートコントロール装置とを備え、
前記表示制御手段は、前記操作手段の操作及び前記リモートコントロール装置の操作に応じて、前記表示装置に表示されているそれぞれ異なる画像データの表示制御を行なうべくなしてあることを特徴とする請求項１１に記載の画像再生装置。
【請求項１３】
外部表示装置が接続されている場合に、画像データを送出して前記外部表示装置に表示させる出力手段を更に備え、
前記表示制御手段は、一方の画像データを前記表示装置に表示させ、他方の画像データを前記出力手段から出力すべくなしてあることを特徴とする請求項８に記載の画像再生装置。
【請求項１４】
画像表示を制御するための操作手段と、画像表示を制御するためのリモートコントロール装置とを備え、
前記表示制御手段は、
前記操作手段の操作に応じて前記表示装置への画像データの表示制御を行ない、前記リモートコントロール装置の操作に応じて前記出力手段から出力される画像データの表示制御を行なう第１の状態と、
前記操作手段の操作に応じて前記出力手段から出力される画像データの表示制御を行ない、前記リモートコントロール装置の操作に応じて前記表示装置への画像データの表示制御を行なう第２の状態と
のいずれかの状態をとるべくなしてあることを特徴とする請求項１３に記載の画像再生装置。
【請求項１５】
前記表示制御手段の状態を、前記第１の状態から前記第２の状態へ、又はその逆へ切り換えさせる手段を備えたことを特徴とする請求項１４に記載の画像再生装置。
【請求項１６】
前記表示制御手段は、
前記表示装置又は前記出力手段に接続された前記外部表示装置の内の一方に２つの画像データを表示させ、
前記２つの画像データの内の一方の表示が終了した場合に、画像データを表示していない前記表示装置又は前記出力手段の内の他方に次に表示させるべき画像を選択するための情報を表示させ、前記表示装置又は前記出力手段の内の前記一方に表示されている他方の画像データを全画面表示させ、
前記情報中から次に表示させるべき画像が選択された場合に、前記表示装置又は前記出力手段の内の一方に２つの画像データを表示させるべくなしてあること
を特徴とする請求項１０に記載の画像再生装置。
【請求項１７】
画像表示を制御するための操作手段と、画像表示を制御するためのリモートコントロール装置とを備え、
前記表示制御手段は、
前記出力手段に前記外部表示装置が接続されていない場合は、前記操作手段及び前記リモートコントロール装置の操作に応じて、前記表示装置に表示されているそれぞれ異なる画像データの表示制御を行なうべくなしてあり、
前記出力手段に前記外部表示装置が接続されている場合は、前記表示装置又は前記出力手段に接続された前記外部表示装置の内の一方に２つの画像データを表示させ、
前記２つの画像データの内の一方の表示が終了した場合に、画像データを表示していない前記表示装置又は前記出力手段の内の他方に次に表示させるべき画像を選択するための情報を表示させ、前記表示装置又は前記出力手段の内の一方に表示されている一方の画像データを全画面表示させ、
前記情報中から次に表示させるべき画像が選択された場合に、前記表示装置又は前記出力手段の内の一方に２つの画像データを表示させるべくなしてあること
を特徴とする請求項１０に記載の画像再生装置。
【発明の詳細な説明】
【技術分野】
【０００１】
本発明は、ハードディスク，光ディスク、メモリーカード等のような、それらに記憶されている複数のファイルに時分割アクセスにより同時的にアクセスすることが可能な記録媒体から、複数の画像ファイルを読み出し、これらの複数の画像ファイルを共に一つの表示装置に表示し、または複数の表示装置にそれぞれ表示して再生することが可能な画像再生装置に関する。
【背景技術】
【０００２】
従来のハードディスク，光ディスク、メモリーカード等のような記録媒体から画像ファイルを読み出して再生する装置の一例について、ビデオカメラを例に説明する。図１７はビデオカメラを画像再生装置として利用した場合の全体のシステム構成例を示す模式図である。
【０００３】
このシステムでは、画像再生装置としてのビデオカメラ４０１に、外部モニタ（外部表示装置）としてのたとえば画面４０４０を有するＴＶセット４０４がＡＶ出力ケーブル４０３により接続されている。またビデオカメラ４０１には画面４０２０を有する液晶表示装置（ＬＣＤ）４０２が内蔵されている。なお、ビデオカメラ４０１の制御は、ビデオカメラ４０１自体に備えられている本体キー４０５と、リモートコントロール装置（以下、リモコンという）４０６との双方で可能である。
【０００４】
図１８は図１７に示す従来のビデオカメラ４０１のハードウェア構成を示すブロック図であり、図１９はその制御部の構成例を示すブロック図である。なお、図１８，図１９において、実線はデータの送受経路を、破線は後述する制御部からの制御信号の送信経路をそれぞれ示している。
【０００５】
図１８に示すようにビデオカメラ４０１は、被写体の光学像を撮像してアナログ電気信号に変換出力するＣＣＤ２０１と、このＣＣＤ２０１から出力されるアナログ電気信号をデジタル信号に変換するためのＡＧＣ（Automatic Gain Control) 等を含むＣＤＳ（Corelated Double Sampling:相関二重サンプリング）／ＡＤ変換部２０２と、このＣＤＳ／ＡＤ変換部２０２の出力信号からＹＵＶ信号，輪郭強調信号等を生成する信号処理部２０３と、この信号処理部２０３により処理された信号の入力出力を制御するＳＤＲＡＭインタフェイス（ＩＦ）２０６とを備えている。
【０００６】
またビデオカメラ４０１は、画像データを圧縮伸張処理する際のバッファ用の第２ＳＤＲＡＭ２０４と、上述した信号処理部２０３から出力されたＹＵＶの画像データをＳＤＲＡＭＩＦ２０６経由で入力してバッファリングするための第１ＳＤＲＡＭ２０５と、画像データの圧縮伸張処理（たとえばＭＰＥＧ方式のコーデック）を行なう画像圧縮伸張部２０７と、後述する記録媒体２０９に対するデータの書き込み、読み出しを制御する記録インタフェイス（ＩＦ）２０８とを備えている。
【０００７】
記録媒体２０９はいわゆるランダムアクセス可能な媒体であり、たとえばＨＤＤ，種々のディスク媒体，メモリカード等のような媒体が相当する。この記録媒体２０９はビデオカメラ４０１に固定的に備えられている場合（たとえば内蔵ＨＤＤ等）と、脱着可能なたとえばリムーバブルタイプのＨＤＤ，種々のタイプのディスク媒体（磁気ディスク，光ディスク，光磁気ディスク等），種々のタイプの書き換え可能な不揮発性の固体メモリ（たとえばメモリカード等）等を必要に応じて装着する場合とのいずれでも可能であり、更に両者を併用することも可能である。
【０００８】
更にビデオカメラ４０１は、撮影時及び再生時にＳＤＲＡＭＩＦ２０６から出力された画像データを内蔵のＬＣＤ４０２と、ＡＶ出力端子２１６に接続された外部モニタとしてのＴＶセット４０４との双方に表示するための表示ＩＦ２１０を備えている。また、ビデオカメラ４０１は、圧縮データをバッファリングするための第３ＳＤＲＡＭ２１７と、この第３ＳＤＲＡＭ２１７と前述した画像圧縮伸張部２０７及び記録ＩＦ２０８との間のデータの送受を制御するＤＭＡコントローラ２１１と、システム全体を制御する制御部２１２とを備えている。なお、ＤＭＡコントローラ２１１及び制御部２１２はマイクロコンピュータ２１３に含まれている。
【０００９】
また、画像圧縮伸張部２０７には前述した第２ＳＤＲＡＭ２０４が、記録ＩＦ２０８には前述した記録媒体２０９がそれぞれ接続されている。また、ＤＭＡコントローラ２１１には、圧縮データをバッファリングするための第３ＳＤＲＡＭ２１７とプログラムＲＯＭ２１８とが接続されている。更に、ビデオカメラ４０１には、本体キー４０５及びリモコン４０６からの入力信号等を受け付けて制御部２１２へ与えるためのユーザインタフェイス（ＩＦ）２１４が備えられている。なお、リモコン４０６はたとえば赤外線方式等が利用可能であるが、そのための受光部及び光電変換部等の構成要素は公知であるので図示していない。
【００１０】
また、ＡＶ出力端子２１６のジャックには、ＡＶ出力ケーブル４０３の端部に備えられているプラグが挿入されることによりオン状態になる接触式の図示しないセンサが内蔵されている。このセンサがプラグの挿入を検出した場合、表示ＩＦ２１０にその旨を示す信号が与えられる。
【００１１】
図１８に示す制御部２１２は図１９に示すように構成されている。即ち、信号処理部２０３を制御する信号処理部制御部３０１と、ＳＤＲＡＭＩＦ２０６を制御するＳＤＲＡＭＩＦ制御部３０２と、ＣＤＳ／ＡＤ２０２のＡＧＣ等を制御するＣＤＳ／ＡＤ制御部３０３と、ＤＭＡコントローラ２１１を制御するＤＭＡコントローラ制御部３０４と、制御部全体をプログラムＲＯＭ２１８に格納されているプログラムに従って制御するＣＰＵ３０５と、画像圧縮伸張部２０７を制御する画像圧縮伸張部制御部３０６と、表示ＩＦ２１０を制御する表示ＩＦ制御部３０７と、記録ＩＦ２０８を制御する記録ＩＦ制御部３０８と、ユーザーＩＦ２１４を制御するユーザーＩＦ制御部３０９と等により、制御部２１２が構成されている。なお、制御部２１２の各構成要素はＣＰＵ３０５を中心として相互にバス接続されている。
【００１２】
次に図１８、図１９に示すように構成された従来の画像再生装置としてのビデオカメラ４０１の動作について説明する。なお、撮影時においては本体キー４０５をユーザが操作することにより撮影モードが設定され、再生時においては本体キー４０５をユーザが操作することにより再生モードが設定されているものとする。
【００１３】
撮影モードが設定されている場合、ユーザが本体キー４０５（又はリモコン４０６）を操作することにより、撮影の命令がユーザーＩＦ２１４を経由して制御部２１２へ与えられる。これに応じた制御部２１２の制御により、まず、ＣＣＤ２０１が被写体（図示せず）からの反射光を受光して光電変換し、その結果のアナログ映像信号を出力する。このアナログ映像信号はＣＤＳ／ＡＤ２０２によりサンプリング，ＡＤ変換，ＡＧＣ等の処理を受けてデジタル映像信号に変換され、信号処理部２０３へ入力される。
【００１４】
信号処理部２０３へ入力されたデジタル映像信号は、ガンマ補正，フィルタリング，輪郭強調処理等の処理を受け、ＹＵＶ信号、具体的にはＹ（輝度），Ｕ（赤の色差），Ｖ（青の色差）の各信号が生成される。このＹＵＶ信号はＳＤＲＡＭＩＦ２０６を介して一旦第１ＳＤＲＡＭ２０５にバッファリングされる。この際、ＣＤＳ／ＡＤ２０２，信号処理部２０３，ＳＤＲＡＭＩＦ２０６の動作はそれぞれ制御部２１２のＣＤＳ／ＡＤ制御部３０３，信号処理部制御部３０１，ＳＤＲＡＭＩＦ制御部３０２により制御される。
【００１５】
次に、上述のようにして一旦第１ＳＤＲＡＭ２０５にバッファリングされた映像信号は、再度ＳＤＲＡＭＩＦ２０６を介して画像圧縮伸張部２０７へ送られ、圧縮処理される。なお、この画像圧縮伸張部２０７による圧縮伸張処理はＭＰＥＧ方式による場合が一般的であるが、他の方式であってもよい。更に、画像圧縮伸張部２０７を備えずに圧縮処理を行なわない構成であってもよいし、画像圧縮伸張部２０７を備えていてもたとえば画像サイズが小さいような場合には画像圧縮伸張部２０７を使用せずに圧縮処理を行なわないようにしてもよい。
【００１６】
画像圧縮伸張部２０７による圧縮処理に際しては第２ＳＤＲＡＭ２０４が、圧縮処理途中の動き予測用の画像等をバッファリングするためのバッファとして用いられる。画像圧縮伸張部２０７により圧縮されたデータはマイクロコンピュータ２１３内のＤＭＡコントローラ２１１を介して第３ＳＤＲＡＭ２１７へ送られて書き込まれ、更にこの第３ＳＤＲＡＭ２１７内でヘッダーの追加処理等が行なわれてファイル化される。このようにしてファイル化され、圧縮された画像データはＤＭＡコントローラ２１１，記録ＩＦ２０８を介して記録媒体２０９へ送られ、この記録媒体２０９に記録される。この際の処理は制御部２１２の画像圧縮伸張部制御部３０６，ＤＭＡコントローラ制御部３０４，記録ＩＦ制御部３０８により制御される。
【００１７】
また同時に、先に第１ＳＤＲＡＭ２０５にバッファリングされたＹＵＶ画像データは表示ＩＦ２１０を介してＬＣＤ４０２へ送られて表示される。更に、ＡＶ出力端子２１６にＡＶ出力ケーブル４０３を介してＴＶセット４０４が接続されている場合は表示ＩＦ２１０がそのことを検知するので、第１ＳＤＲＡＭ２０５にバッファリングされているＹＵＶ画像データは表示ＩＦ２１０，ＡＶ出力端子２１６を介してＴＶセット４０４へ送られ、その画面４０４０にも表示される。この際の処理は制御部２１２のＳＤＲＡＭＩＦ制御部３０２，表示ＩＦ制御部３０７により制御される。
【００１８】
次に、ビデオカメラ４０１の画像再生装置としての本来の動作である再生時の動作について説明する。なお、再生時においては本体キー４０５をユーザが操作することにより、再生モードが設定されているものとする。
【００１９】
ユーザーはＬＣＤ４０２の画面４０２０、又はＡＶ出力端子２１６に接続したＴＶセット４０４の画面４０４０に表示される再生画像の選択用の画面（以下、再生画像選択画面）を参照して再生したい画像を選択する。この際、再生画像選択画面には次に表示させる画像を選択するための情報として動画像の先頭又は途中の１コマがサムネイルとして図２０の模式図に示すように配列して表示される。具体的には、図２０に示すように、ＬＣＤ４０２の画面４０２０及びＴＶセット４０４の画面４０４０には記録媒体２０９に記録されている動画像のデータの各ファイルの先頭又は途中の１コマであるサムネイルＴＮ１乃至ＴＮ６が配列された同一の再生画像選択画面が表示されている。従って、ビデオカメラ４０１の本体キー４０５、又はリモコン４０６をユーザが操作してユーザが再生したい画像、たとえばＴＮ２のサムネイル（他のサムネイルに比して枠が強調表示されている）を選択することにより、そのサムネイルＴＮ２で特定される動画像を以下のようにして再生することができる。
【００２０】
ユーザーによりＬＣＤ４０２又はＴＶセット４０４の再生画像選択画面においてサムネイルＴＮ２が選択されたことはユーザＩＦ２１４を介して制御部１１２へ伝えられる。これにより、ユーザーが選択したサムネイルＴＮ２で特定される動画像の圧縮データが記録媒体２０９から読み出され、記録ＩＦ２０８，ＤＭＡコントローラ２１１を介して第３ＳＤＲＡＭ２１７へ送られて一旦バッファリングされ、ヘッダー情報等の解析が行なわれた後、ＤＭＡコントローラ２１１を介して画像圧縮伸張部２０７へ送られる。これらの処理は、制御部２１２の記録ＩＦ制御部３０８，ＤＭＡコントローラ制御部３０４，画像圧縮伸張部制御部３０６により制御される。
【００２１】
画像圧縮伸張部２０７は第２ＳＤＲＡＭ２０４をバッファとして、ＤＭＡコントローラ２１１から送られてきた圧縮データの伸張処理を行なう。この際、第２ＳＤＲＡＭ２０４のバッファ領域２０４Ｂには図２１の模式図に示すように、１つの画像を再生するために必要な参照符号２０４Ｂ０で示す一つの領域のみが割り当てられる。
【００２２】
画像圧縮伸張部２０７で伸張処理された画像データはＳＤＲＡＭＩＦ２０６を介して一旦第１ＳＤＲＡＭ２０５にバッファリングされる。第１ＳＤＲＡＭ２０５にバッファリングされた画像データは再度ＳＤＲＡＭＩＦ２０６を介して表示ＩＦ２１０へ送られてＬＣＤ４０２の画面４０２０に表示される。また、ＡＶ出力端子２１６にＡＶ出力ケーブル４０３を介してＴＶセット４０４が接続されている場合には、ＬＣＤ４０２の画面４０２０に表示される画像と同一の画像がＴＶセット４０４の画面４０４０にも表示される。これらの処理は制御部２１２の画像圧縮伸張部制御部３０６，ＳＤＲＡＭＩＦ制御部３０２，表示ＩＦ制御部３０７により制御される。
【特許文献１】特開平０５−２５２４４０号公報
【発明の開示】
【発明が解決しようとする課題】
【００２３】
以上のような従来の画像再生装置としてのビデオカメラでは、再生時には通常はある時刻に再生可能な動画は１つの動画のみである。しかし、ゴルフのスイング，スキー場での撮影等は複数の人をシーケンシャルに撮影している場合が多く、同時に複数の人が別の動画を見たいという要求が多々ある。しかし、上述のような従来の画像再生装置ではそのような要求を満たすことができない。このことは、上述した画像再生装置の一例としてのビデオカメラのみならず、いわゆるランダムアクセス可能な記録媒体（ハードディスク，ディスク媒体等）を使用したビデオデッキ、メモリカードを内蔵して動画像ファイルの再生を行なうことが可能な携帯電話機等のような画像再生装置においても同様である。更に、これらの装置において動画像を再生する際のみならず、静止画像の再生時においても、またデジタルスチルカメラ，静止画ファイルの再生を行なうことが可能な携帯電話機等のような静止画像の再生専用装置においても従来は同様の問題があった。
【００２４】
一方、特許文献１には、２画像を表示することが可能なビデオカメラの発明が記載されている。しかしこの特許文献１に記載されているビデオカメラでは、自身が撮影した一つの画像の一部を拡大して他の部分と２画面表示する構成であり、上述のような問題点の解決を目的としたものではない。
【００２５】
本発明は以上のような従来の問題点に鑑みてなされたものであり、種々のタイプの画像再生装置において、画像再生時に、少なくとも２つの異なる画像を共に一つの表示装置に表示するすること、または２つの表示装置にそれぞれ表示することが可能な画像再生装置、更には複数の映像を共に一つの表示装置に表示するすること、または複数の表示装置に複数の映像をそれぞれ表示することが可能な画像再生装置の提供を目的とする。このような画像再生装置が提供されることにより、１台の画像再生装置で、２人またはそれ以上の人がそれぞれ別の映像を同時に見ることが可能になる。
【００２６】
より具体的には本発明は、ビデオカメラ，画像再生機能を有する携帯電話機等のようなそれ自体に表示装置を備えた画像再生装置において、画像の再生時に自体に備えられている表示装置に複数の映像を共に表示し、または自体に備えられている表示装置と外部表示装置との双方に別々の画像をそれぞれ表示するすることが可能な画像再生の提供を目的とする。このような画像再生装置が提供されることにより、１台のたとえばビデオカメラ等のような画像再生装置で、２人またはそれ以上のユーザがそれぞれ別の映像を同一の表示装置で、または別の表示装置で同時に見ることが可能になる。
【課題を解決するための手段】
【００２７】
本発明に係る画像再生装置は、時分割アクセスにより複数のファイルに同時的にアクセスすることが可能な記録媒体と、該記録媒体に記録されている複数の画像データのファイルを時分割アクセスにより同時的に読み出すデータ読み出し手段と、該データ読み出し手段が読み出した複数のファイルの画像データを共に表示装置に表示させる表示制御手段とを備えたことを特徴とする。
【００２８】
このような本発明の画像再生装置では、時分割アクセスにより複数のファイルに同時的にアクセスすることが可能な記録媒体から複数の画像データのファイルが時分割アクセスにより同時的に読み出され、これらの複数のファイルの画像データが共に表示装置に表示される。
【００２９】
また本発明に係る画像再生装置は、上述の発明において、前記データ読み出し手段は、前記画像データが動画像である場合に、動画像を構成するフレーム単位でデータを間引いて画像データを前記記録媒体から読み出すべくなしてあることを特徴とする。
【００３０】
このような本発明の画像再生装置では上述の発明において、画像データが動画像である場合には動画像を構成するフレーム単位でデータが間引かれて記録媒体から読み出される。
【００３１】
また本発明に係る画像再生装置は、前述の発明において、前記表示制御手段は、画像サイズを縮小して前記表示装置に表示すべくなしてあることを特徴とする。
【００３２】
このような本発明の画像再生装置では前述の発明において、複数の画像がそれぞれ画像サイズが縮小されて表示装置に表示される。
【００３３】
また本発明に係る画像再生装置は、上述の発明において、前記表示制御手段は、複数の画像データを前記表示装置の画面に上下及び／又は左右に配列して表示すべくなしてあることを特徴とする。
【００３４】
このような本発明の画像再生装置では上述の発明において、複数の画像データが表示装置の画面に上下及び／又は左右に配列して表示される。
【００３５】
また本発明に係る画像再生装置は、上述の発明において、画像表示を制御するための操作手段と、画像表示を制御するためのリモートコントロール装置とを備え、前記表示制御手段は、前記操作手段の操作及び前記リモートコントロール装置の操作に応じて、前記表示装置に表示されているそれぞれ異なる画像データの表示制御を行なうべくなしてあることを特徴とする。
【００３６】
このような本発明の画像再生装置では上述の発明において、表示装置に表示されているそれぞれ異なる画像データが操作手段の操作及びリモートコントロール装置の操作に応じてそれぞれ表示制御される。
【００３７】
また本発明に係る画像再生装置は、前述の発明において、前記表示制御手段は、複数の表示装置に前記データ読み出し手段が前記記録媒体から読み出した複数のファイルの画像データをそれぞれ表示すべくなしてあることを特徴とする。
【００３８】
このような本発明の画像再生装置では前述の発明において、記録媒体から読み出された複数のファイルの画像データが複数の表示装置にそれぞれ表示される。
【００３９】
また本発明に係る画像再生装置は、上述の発明において、画像表示を制御するための操作手段と、画像表示を制御するためのリモートコントロール装置とを備え、前記表示制御手段は、前記操作手段の操作及び前記リモートコントロール装置の操作に応じて、それぞれ異なる表示装置に表示されている画像データの表示制御を行なうべくなしてあることを特徴とする。
【００４０】
このような本発明の画像再生装置では上述の発明において、それぞれ異なる表示装置に表示されている画像データが操作手段の操作及びリモートコントロール装置の操作に応じてそれぞれ表示制御される。
【００４１】
更に本発明に係る画像再生装置は、時分割アクセスにより２つのファイルに同時的にアクセスすることが可能な記録媒体と、該記録媒体に記録されている２つの画像データのファイルを時分割アクセスにより同時的に読み出すデータ読み出し手段と、表示装置と、前記データ読み出し手段が読み出した２つのファイルの画像データを共に前記表示装置に表示させる表示制御手段とを備えたことを特徴とする。
【００４２】
このような本発明の画像再生装置では、時分割アクセスにより２つのファイルに同時的にアクセスすることが可能な記録媒体から２つの画像データのファイルが時分割アクセスにより同時的に読み出されて共に表示装置に表示される。
【００４３】
また本発明に係る画像再生装置は、上述の発明において、前記データ読み出し手段は、前記画像データが動画像である場合に、動画像を構成するフレーム単位でデータを間引いて画像データを前記記録媒体から読み出すべくなしてあることを特徴とする。
【００４４】
このような本発明の画像再生装置では上述の発明において、画像データが動画像である場合には動画像を構成するフレーム単位でデータが間引かれて記録媒体から読み出される。
【００４５】
また本発明に係る画像再生装置は、前述の発明において、前記表示制御手段は、画像サイズを縮小して前記表示装置に表示すべくなしてあることを特徴とする。
【００４６】
このような本発明の画像再生装置では前述の発明において、複数の画像がそれぞれ画像サイズが縮小されて表示装置に表示される。
【００４７】
また本発明に係る画像再生装置は、上述の発明において、前記表示制御手段は、２つの画像データを前記表示装置の画面に上下又は左右に配列して表示すべくなしてあることを特徴とする。
【００４８】
このような本発明の画像再生装置では、上述の発明において、複数の画像データが表示装置の画面に上下及び／又は左右に配列して表示される。
【００４９】
また本発明に係る画像再生装置は、上述の発明において、画像表示を制御するための操作手段と、画像表示を制御するためのリモートコントロール装置とを備え、前記表示制御手段は、前記操作手段の操作及び前記リモートコントロール装置の操作に応じて、前記表示装置に表示されているそれぞれ異なる画像データの表示制御を行なうべくなしてあることを特徴とする。
【００５０】
このような本発明の画像再生装置では上述の発明において、表示装置に表示されているそれぞれ異なる画像データが操作手段の操作及びリモートコントロール装置の操作に応じてそれぞれ表示制御される。
【００５１】
また本発明に係る画像再生装置は、前述の発明において、外部表示装置が接続されている場合に、画像データを送出して前記外部表示装置に表示させる出力手段を更に備え、前記表示制御手段は、一方の画像データを前記表示装置に表示させ、他方の画像データを前記出力手段から出力すべくなしてあることを特徴とする。
【００５２】
このような本発明の画像再生装置では前述の発明において、一方の画像データが表示装置に表示され、他方の画像データが出力手段から出力される。
【００５３】
また本発明に係る画像再生装置は、上述の発明において、画像表示を制御するための操作手段と、画像表示を制御するためのリモートコントロール装置とを備え、前記表示制御手段は、前記操作手段の操作に応じて前記表示装置への画像データの表示制御を行ない、前記リモートコントロール装置の操作に応じて前記出力手段から出力される画像データの表示制御を行なう第１の状態と、前記操作手段の操作に応じて前記出力手段から出力される画像データの表示制御を行ない、前記リモートコントロール装置の操作に応じて前記表示装置への画像データの表示制御を行なう第２の状態とのいずれかの状態をとるべくなしてあることを特徴とする。
【００５４】
このような本発明の画像再生装置では上述の発明において、操作手段の操作に応じて表示装置への画像データの表示制御が行なわれ、リモートコントロール装置の操作に応じて出力手段から出力される画像データの表示制御が行なわれる第１の状態と、これとは逆の第２の状態とのいずれかの状態がとられる。
【００５５】
また本発明に係る画像再生装置は、上述の発明において、前記表示制御手段の状態を、前記第１の状態から前記第２の状態へ、又はその逆へ切り換えさせる手段を備えたことを特徴とする。
【００５６】
このような本発明の画像再生装置では上述の発明において、第１の状態と第２の状態とが切り換えられる。
【００５７】
また本発明に係る画像再生装置は、前述の発明において、前記表示制御手段は、前記表示装置又は前記出力手段に接続された前記外部表示装置の内の一方に２つの画像データを表示させ、前記２つの画像データの内の一方の表示が終了した場合に、画像データを表示していない前記表示装置又は前記出力手段の内の他方に次に表示させるべき画像を選択するための情報を表示させ、前記表示装置又は前記出力手段の内の前記一方に表示されている他方の画像データを全画面表示させ、前記情報中から次に表示させるべき画像が選択された場合に、前記表示装置又は前記出力手段の内の一方に２つの画像データを表示させるべくなしてあることを特徴とする。
【００５８】
このような本発明の画像再生装置では前述の発明において、２つの画像データの内の一方の表示が終了した場合に、画像データを表示していない表示装置又は出力手段の内の他方に次に表示させるべき画像を選択するための情報が表示されると共に表示装置又は出力手段の内の一方に表示されている未だ終了していない他方の画像データが全画面表示され、次に表示させるべき画像を選択するための情報中から画像が選択された場合に、表示装置又は出力手段の内の一方に２つの画像データが表示される。
【００５９】
また本発明に係る画像再生装置は、前述の発明において、画像表示を制御するための操作手段と、画像表示を制御するためのリモートコントロール装置とを備え、前記表示制御手段は、前記出力手段に前記外部表示装置が接続されていない場合は、前記操作手段及び前記リモートコントロール装置の操作に応じて、前記表示装置に表示されているそれぞれ異なる画像データの表示制御を行なうべくなしてあり、前記出力手段に前記外部表示装置が接続されている場合は、前記表示装置又は前記出力手段に接続された前記外部表示装置の内の一方に２つの画像データを表示させ、前記２つの画像データの内の一方の表示が終了した場合に、画像データを表示していない前記表示装置又は前記出力手段の内の他方に次に表示させるべき画像を選択するための情報を表示させ、前記表示装置又は前記出力手段の内の一方に表示されている他方の画像データを全画面表示させ、前記情報中から次に表示させるべき画像が選択された場合に、前記表示装置又は前記出力手段の内の一方に２つの画像データを表示させるべくなしてあることを特徴とする。
【００６０】
このような本発明の画像再生装置では前述の発明において、出力手段に外部表示装置が接続されていない場合は、操作手段及びリモートコントロール装置の操作に応じて、表示装置に表示されているそれぞれ異なる画像データが表示制御され、出力手段に外部表示装置が接続されている場合は、表示装置又は出力手段に接続された外部表示装置の内の一方に２つの画像データが表示され、２つの画像データの内の一方の表示が終了した場合に、画像データを表示していない表示装置又は出力手段の内の他方に次に表示させるべき画像を選択するための情報が表示されると共に表示装置又は出力手段の内の一方に表示されている未だ終了していない他方の画像データが全画面表示され、次に表示させるべき画像を選択するための情報中から画像が選択された場合に、表示装置又は出力手段の内の一方に２つの画像データが表示される。
【発明の効果】
【００６１】
以上のような本発明に係る画像再生装置によれば、時分割アクセスにより複数のファイルに同時的にアクセスすることが可能な記録媒体から複数の画像データのファイルが時分割アクセスにより同時的に読み出され、これらの複数のファイルの画像データが共に表示装置に表示されるので、複数の別々の画像を同時に複数の人が見ることが出来る。
【００６２】
また本発明の画像再生装置によれば上述の発明において、画像データが動画像である場合には動画像を構成するフレーム単位でデータが間引かれて記録媒体から読み出されるので、画像再生能力が低い場合にもスムースな再生が行なわれる。特に、画像ファイルが他とＭＰＥＧ方式などで圧縮されている記録媒体に記録されているような場合には、その伸張処理のためにかなりの時間を要する場合があるので、Ｉピクチャを間引くことはできないが、Ｂ，Ｐピクチャを間引いて再生することが可能である。
【００６３】
また本発明の画像再生装置によれば前述の発明において、複数の画像がそれぞれ画像サイズが縮小されて表示装置に表示されるので、画像再生能力が低い場合にもスムースな再生が行なわれる。
【００６４】
また本発明の画像再生装置によれば上述の発明において、複数の画像データが表示装置の画面に上下及び／又は左右に配列して表示されるので、画像再生能力が高い場合には元のサイズのままで、画像再生能力が低い場合には縮小されたサイズでスムースな再生が行なわれる。
【００６５】
また本発明の画像再生装置によれば上述の発明において、表示装置に表示されているそれぞれ異なる画像データが操作手段の操作及びリモートコントロール装置の操作に応じてそれぞれ表示制御されるので、種々のトリック再生を個々の画像に対して同時に行わせることができる。
【００６６】
また本発明の画像再生装置によれば前述の発明において、記録媒体から読み出された複数のファイルの画像データが複数の表示装置にそれぞれ表示されるので、複数の人が好みの画像を異なる表示装置で見ることができる。
【００６７】
また本発明の画像再生装置によれば上述の発明において、それぞれ異なる表示装置に表示されている画像データが操作手段の操作及びリモートコントロール装置の操作に応じてそれぞれ表示制御されるので、複数の人が好みの画像を異なる表示装置で見つつ、それぞれの表示装置上で種々のトリック再生を個々の画像に対して同時に行わせることができる。
【００６８】
更に本発明の画像再生装置によれば、時分割アクセスにより２つのファイルに同時的にアクセスすることが可能な記録媒体から２つの画像データのファイルが時分割アクセスにより同時的に読み出されて共に表示装置に表示されるので、２つの画像を同時に複数の人が見ることが出来る。。
【００６９】
また本発明の画像再生装置によれば上述の発明において、画像データが動画像である場合には動画像を構成するフレーム単位でデータが間引かれて記録媒体から読み出されるので、画像再生能力が低い場合にも２つの画像のスムースな再生が行なわれる。特に、画像ファイルが他とＭＰＥＧ方式などで圧縮されている記録媒体に記録されているような場合には、その伸張処理のためにかなりの時間を要する場合があるので、Ｉピクチャを間引くことはできないが、Ｂ，Ｐピクチャを間引いて再生することが可能である。
【００７０】
また本発明の画像再生装置によれば前述の発明において、複数の画像がそれぞれ画像サイズが縮小されて表示装置に表示されるので、画像再生能力が低い場合にも２つの画像のスムースな再生が行なわれる。
【００７１】
また本発明の画像再生装置によれば、上述の発明において、複数の画像データが表示装置の画面に上下及び／又は左右に配列して表示されるので、画像再生能力が高い場合には元のサイズのままで、画像再生能力が低い場合には縮小されたサイズで２つの画像のスムースな再生が行なわれる。
【００７２】
また本発明の画像再生装置によれば上述の発明において、表示装置に表示されているそれぞれ異なる画像データが操作手段の操作及びリモートコントロール装置の操作に応じてそれぞれ表示制御されるので、種々のトリック再生を２つの画像それぞれに対して同時に行わせることができる。
【００７３】
また本発明の画像再生装置によれば前述の発明において、一方の画像データが表示装置に表示され、他方の画像データが出力手段から出力されるので、一方の画像を装置に備えられた表示装置で、他方の画像を外部に接続された表示装置で同時に複数の人が見ることが出来る。
【００７４】
また本発明の画像再生装置によれば上述の発明において、操作手段の操作に応じて表示装置への画像データの表示制御が行なわれ、リモートコントロール装置の操作に応じて出力手段から出力される画像データの表示制御が行なわれる第１の状態と、これとは逆の第２の状態とのいずれかの状態がとられるので、一方の画像を装置に備えられた表示装置で、他方の画像を外部に接続された表示装置で同時に複数の人が見つつ、種々のトリック再生を２つの表示装置に表示されている画像それぞれに対して同時に行わせることができる。
【００７５】
また本発明の画像再生装置によれば上述の発明において、第１の状態と第２の状態とが切り換えられるので、必要に応じて装置に備えられた操作手段とリモートコントロール装置とを使い分けることができる。
【００７６】
また本発明の画像再生装置によれば前述の発明において、２つの画像データの内の一方の表示が終了した場合に、画像データを表示していない表示装置又は出力手段の内の他方に次に表示させるべき画像を選択するための情報が表示されると共に表示装置又は出力手段の内の一方に表示されている未だ終了していない他方の画像データが全画面表示され、次に表示させるべき画像を選択するための情報中から画像が選択された場合に、表示装置又は出力手段の内の一方に２つの画像データが表示されるので、一方の表示装置で画像の再生が終了した場合には他方の表示装置でそのまま全画面表示を見ることができると共に、その間に他方の表示装置で次に表示させるべき画像を選択することができ、次に表示させるべき画像を選択した場合には再度２つの画像を見ることができる。
【００７７】
また本発明の画像再生装置によれば前述の発明において、出力手段に外部表示装置が接続されていない場合は、操作手段及びリモートコントロール装置の操作に応じて、表示装置に表示されているそれぞれ異なる画像データが表示制御され、出力手段に外部表示装置が接続されている場合は、表示装置又は出力手段に接続された外部表示装置の内の一方に２つの画像データが表示され、２つの画像データの内の一方の表示が終了した場合に、画像データを表示していない表示装置又は出力手段の内の他方に次に表示させるべき画像を選択するための情報が表示されると共に表示装置又は出力手段の内の一方に表示されている未だ終了していない他方の画像データが全画面表示され、次に表示させるべき画像を選択するための情報中から画像が選択された場合に、表示装置又は出力手段の内の一方に２つの画像データが表示されるので、出力手段に外部表示装置が接続されていない場合は、種々のトリック再生を操作手段及びリモートコントロール装置の操作に応じて２つの画像それぞれに対して同時に行わせることができると共に、出力手段に外部表示装置が接続されている場合は、一方の表示装置で画像の再生が終了した場合には他方の表示装置でそのまま全画面表示を見ることができると共に、その間に他方の表示装置で次に表示させるべき画像を選択することができ、次に表示させるべき画像を選択した場合には再度２つの画像を見ることができる。
【発明を実施するための最良の形態】
【００７８】
以下に本発明の画像再生装置の実施の形態について詳述する。なお、本発明の画像再生装置の一例としてはビデオカメラを例に挙げるが、これに限定されるものではない。但し、本発明の画像再生装置としてのビデオカメラを含む全体のシステム構成は前述した図１７に示す従来例と同様であるので、それらに関する説明は省略する。
【００７９】
但し、本発明の画像再生装置としてのビデオカメラ４０１にもたとえばＴＶセット４０４等の外部モニタ（外部表示装置）がＡＶ出力ケーブル４０３により接続されている。またビデオカメラ４０１には液晶表示装置（ＬＣＤ）４０２が内蔵されている。なお、ビデオカメラ４０１の制御は、ビデオカメラ４０１自体に備えられている本体キー４０５と、リモートコントロール装置（以下、リモコンという）４０６との双方で可能である。
【００８０】
図２は図１７に示すビデオカメラ４０１が本発明の画像再生装置としてのビデオカメラである場合のハードウェア構成を示すブロック図であり、図１はその制御部の構成例を示すブロック図である。なお、図１，図２において、実線はデータの送受経路を、破線は後述する制御部からの制御信号の送信経路をそれぞれ示している。但し、図２に示す本発明の画像再生装置としてのビデオカメラ４０１のハードウェア構成は図１８に示した従来の画像再生装置としてのビデオカメラ４０１のハードウェア構成とは、マイクロコンピュータ１１３の内部構成及び制御手順が異なるのみである。
【００８１】
図２に示すようにビデオカメラ４０１は、被写体の光学像を撮像してアナログ電気信号に変換出力するＣＣＤ２０１と、このＣＣＤ２０１から出力されるアナログ電気信号をデジタル信号に変換するためのＡＧＣ（Automatic Gain Control) 等を含むＣＤＳ（Corelated Double Sampling:相関二重サンプリング）／ＡＤ変換部２０２と、このＣＤＳ／ＡＤ変換部２０２の出力信号からＹＵＶ信号，輪郭強調信号等を生成する信号処理部２０３と、この信号処理部２０３により処理された信号の入力出力を制御するＳＤＲＡＭインタフェイス（ＩＦ）２０６とを備えている。
【００８２】
またビデオカメラ４０１は、画像データを圧縮伸張処理する際のバッファ用の第２ＳＤＲＡＭ２０４と、上述した信号処理部２０３から出力されたＹＵＶの画像データをＳＤＲＡＭＩＦ２０６経由で入力してバッファリングするための第１ＳＤＲＡＭ２０５と、画像データの圧縮伸張処理（たとえばＭＰＥＧ方式のコーデック）を行なう画像圧縮伸張部２０７と、後述する記録媒体２０９に対するデータの書き込み、読み出しを制御する記録インタフェイス（ＩＦ）２０８とを備えている。
【００８３】
記録媒体２０９はいわゆるランダムアクセス可能な媒体であり、たとえばＨＤＤ，種々のディスク媒体，メモリカード等のような媒体が相当する。この記録媒体２０９はビデオカメラ４０１に固定的に備えられている場合（たとえば内蔵ＨＤＤ等）と、脱着可能なたとえばリムーバブルタイプのＨＤＤ，種々のタイプのディスク媒体（磁気ディスク，光ディスク，光磁気ディスク等），種々のタイプの書き換え可能な不揮発性の固体メモリ（たとえばメモリカード等）等を必要に応じて装着する場合とのいずれでも可能であり、更に両者を併用することも可能である。
【００８４】
更にビデオカメラ４０１は、撮影時及び再生時にＳＤＲＡＭＩＦ２０６から出力された画像データを内蔵のＬＣＤ４０２と、ＡＶ出力端子２１６に接続された外部モニタとしてのＴＶセット４０４との双方に表示するための表示ＩＦ２１０を備えている。また、ビデオカメラ４０１は、圧縮データをバッファリングするための第３ＳＤＲＡＭ２１７と、この第３ＳＤＲＡＭ２１７と前述した画像圧縮伸張部２０７及び記録ＩＦ２０８との間のデータの送受を制御するＤＭＡコントローラ１１１と、システム全体を制御する制御部１１２とを備えている。なお、ＤＭＡコントローラ１１１及び制御部１１２はマイクロコンピュータ１１３に含まれている。
【００８５】
また、画像圧縮伸張部２０７には前述した第２ＳＤＲＡＭ２０４が、記録ＩＦ２０８には前述した記録媒体２０９がそれぞれ接続されている。また、ＤＭＡコントローラ１１１には、圧縮データをバッファリングするための第３ＳＤＲＡＭ２１７とプログラムＲＯＭ２１８とが接続されている。更に、ビデオカメラ４０１には、本体キー４０５及びリモコン４０６からの入力信号等を受け付けて制御部１１２へ与えるためのユーザインタフェイス（ＩＦ）２１４が備えられている。なお、リモコン４０６はたとえば赤外線方式等が利用可能であるが、そのための受光部及び光電変換部等の構成要素は公知であるので図示していない。
【００８６】
また、ＡＶ出力端子２１６のジャックには、ＡＶ出力ケーブル４０３の端部に備えられているプラグが挿入されることによりオン状態になる接触式の図示しないセンサが内蔵されている。このセンサがプラグの挿入を検出した場合、表示ＩＦ２１０にその旨を示す信号が与えられる。
【００８７】
図２に示す制御部１１２は図１に示すように構成されている。即ち、信号処理部２０３を制御する信号処理部制御部１０１と、ＳＤＲＡＭＩＦ２０６を制御するＳＤＲＡＭＩＦ制御部１０２と、ＣＤＳ／ＡＤ２０２のＡＧＣ等を制御するＣＤＳ／ＡＤ制御部１０３と、ＤＭＡコントローラ１１１を制御するＤＭＡコントローラ制御部１０４と、制御部全体をプログラムＲＯＭ２１８に格納されているプログラムに従って制御するＣＰＵ１０５と、画像圧縮伸張部２０７を制御する画像圧縮伸張部制御部１０６と、表示ＩＦ２１０を制御する表示ＩＦ制御部１０７と、記録ＩＦ２０８を制御する記録ＩＦ制御部１０８と、ユーザーＩＦ２１４を制御するユーザーＩＦ制御部１０９と等により、制御部１１２が構成されている。
【００８８】
なお、記録ＩＦ制御部１０８，表示ＩＦ制御部１０７，画像圧縮伸張部制御部１０６，ＳＤＲＡＭＩＦ制御部１０２のそれぞれの内部には、２画像再生時の切換を行なうための２画像再生切換部１０８２、１０７２、１０６２、１０２２が備えられている。なお、制御部１１２の各構成要素はＣＰＵ１０５を中心として相互にバス接続されている。
【００８９】
次に図１、図２に示すように構成された本発明の画像再生装置としてのビデオカメラ４０１の動作について、制御部１１２のＣＰＵ１０５の処理手順を示すフローチャートを参照して説明する。なお、撮影時においては本体キー４０５をユーザが操作することにより撮影モードが設定され、再生時においては本体キー４０５をユーザが操作することにより再生モードが設定されているものとする。但し、ビデオカメラ４０１に撮影モードが設定された場合の撮影処理の際の動作は前述した従来例と同様であるのでその説明は省略する。また、再生処理の際の動作についても、１画像の再生処理の際の動作は前述した従来例と同様であるので、その説明は省略する。従って、以下においては、本発明の画像再生装置としてのビデオカメラ４０１を特徴付ける２画像の同時再生処理の際の動作について説明する。
【００９０】
２画像再生時においては、本体キー４０５をユーザが操作することにより、その旨を示す信号がユーザーＩＦ２１４を介して制御部１１２に与えられる。これに応じて、制御部１１２は記録ＩＦ制御部１０８，表示ＩＦ制御部１０７，画像圧縮伸張部制御部１０６，ＳＤＲＡＭＩＦ制御部１０２のそれぞれの内部に備えられている２画像再生切換部１０８２、１０７２、１０６２、１０２２を２画像再生を有効にするように、具体的には２画像ファイルを再生するために時分割処理を実行するように切り換える。
【００９１】
また、この場合、後述するようなＬＣＤ４０２の画面４０２０と外部モニタであるＴＶセット４０４の画面４０４０との双方にそれぞれ画像を表示する「通常２画像表示モード」と、ＬＣＤ４０２が使用できない場合（たとえばカバーが閉じられている場合等）に外部モニタであるＴＶセット４０４の画面４０４０のみを使用して２画像を表示する「外部モニタ２画像表示モード（１）」と、外部モニタであるＴＶセット４０４が使用できない場合、即ちＴＶセット４０４がＡＶ出力端子２１６に接続されていない場合にＬＣＤ４０２のみを使用して２画像を表示する「ＬＣＤ２画像表示モード（１）」と、ＬＣＤ４０２及びＴＶセット４０４の双方が使用可能ではあってもユーザの選択により一方のみの２画像を表示するモード、即ち「外部モニタ２画像表示モード（２）」と「ＬＣＤ２画像表示モード（２）」との何れかのモードで動作する。
【００９２】
まず最初に、図３に示すＣＰＵ１０５の処理手順のメインルーチンについて説明する。ＣＰＵ１０５は「２画像再生モード」が選択されている場合（ステップＳ１１でＹＥＳ）、ＬＣＤ４０２が使用可能な状態であるか否かを判断する（ステップＳ１２）。なお、「２画像再生モード」が選択されていない場合は（ステップＳ１１でＮＯ）、他の処理、たとえば撮影モード、通常の１画像の再生モード等の処理が行われる（ステップＳ１３）。ステップＳ１２においてＬＣＤ４０２が使用不可能であることが判明した場合（ステップＳ１２でＮＯ）、たとえばＬＣＤ４０２のカバーが閉じられているような場合等にはＣＰＵ１０５は次に外部モニタであるＴＶセット４０４が使用可能であるか否かを判断する（ステップＳ１４）。なお、ＴＶセット４０４が使用可能であるか否かはＡＶ出力端子２１６にＡＶ出力ケーブル４０３の端部に備えられているプラグが挿入されているか否かにより判断可能である。
【００９３】
外部モニタであるＴＶセット４０４が使用不可能である場合（ステップＳ１４でＮＯ）、ＣＰＵ１０５はステップＳ１１へ処理を戻す。なおこの場合、ＣＰＵ１０５は音声等で適宜の警報を発生することが望ましい。
【００９４】
ステップＳ１４においてＴＶセット４０４が使用可能であることが判明した場合（ステップＳ１４でＹＥＳ）、ＣＰＵ１０５は外部モニタであるＴＶセット４０４のみを使用して２画像を表示するモード、即ち「外部モニタ２画像表示モード（１）」のサブルーチンへ処理を移す（ステップＳ１５）。
【００９５】
一方、先のステップＳ１２においてＬＣＤ４０２が使用可能であった場合（ステップＳ１２でＹＥＳ）、ＣＰＵ１０５は次に外部モニタであるＴＶセット４０４が使用可能であるか否かを判断する（ステップＳ１６）。ここで、たとえばＡＶ出力端子２１６に接続されていない等の理由でＴＶセット４０４が使用不可能であることが判明した場合（ステップＳ１６でＮＯ）、ＣＰＵ１０５はＬＣＤ４０２のみを使用して２画像を表示するモード、即ち「ＬＣＤ２画像表示モード（１）」のサブルーチンへ処理を移す（ステップＳ１７）。
【００９６】
更に、ステップＳ１６において外部モニタであるＴＶセット４０４が使用可能であることが判明した場合（ステップＳ１６でＹＥＳ）、ユーザは、ＬＣＤ４０２にのみ、または外部モニタであるＴＶセット４０４にのみ２画像表示を行なうモード、あるいはＬＣＤ４０２とＴＶセット４０４との双方に各１画像ずつ、計２画像を表示するモードの何れかを選択することが可能である。
【００９７】
具体的には、ユーザが本体キー４０５の操作によりＬＣＤ４０２にのみ２画像表示を行なうことを選択した場合（ステップＳ１８でＹＥＳ）、ＣＰＵ１０５は「ＬＣＤ２画像表示モード（２）」のサブルーチンへ処理を移す（ステップＳ１９）。また、ユーザが本体キー４０５の操作によりＴＶセット４０４にのみ２画像表示を行なうことを選択した場合（ステップＳ１８でＮＯ，Ｓ２０でＹＥＳ）、ＣＰＵ１０５は「外部モニタ２画像表示モード（２）」のサブルーチンへ処理を移す（ステップＳ２１）。更に、ユーザが本体キー４０５の操作によりＬＣＤ４０２とＴＶセット４０４とに各１画像、計２画像表示を行なうことを選択した場合（ステップＳ１８でＮＯ，Ｓ２０でＮＯ）、ＣＰＵ１０５は「通常２画像表示モード」のサブルーチンへ処理を移す（ステップＳ２２）。
【００９８】
以上がＣＰＵ１０５により実行されるメインルーチンであるが、以下において個々のサブルーチンの処理手順について説明する。まず、「通常２画像表示モード」のサブルーチンの処理手順について、図４のフローチャートを参照して説明する。
【００９９】
「通常２画像表示モード」のサブルーチンでは、ＣＰＵ１０５は最初にフラグＦを「１」に初期化する（ステップＳ１００）。このフラグＦの機能については後述する。
【０１００】
次にＣＰＵ１０５は、ＬＣＤ４０２及び外部モニタであるＴＶセット４０４の双方が使用可能であるので、まず最初にＬＣＤ４０２及び外部モニタであるＴＶセット４０４の双方にそれぞれ図５(a),  図５(b) の模式図に示すような再生画像の選択用の画面（再生画像選択画面）を表示する（ステップＳ１０１）。
【０１０１】
なお、このようにして「通常２画像再生モード」が設定された場合には、ユーザーＩＦ制御部１０９はビデオカメラ４０１の本体キー４０５をＬＣＤ４０２の表示操作のために、リモコン４０６をＴＶセット４０４の表示操作のためにそれぞれ専用に機能するように設定する（ステップＳ１０２）。
【０１０２】
再生画像の選択は図５(a),  図５(b) の模式図に示すような再生画像選択画面を利用して行なわれるが、具体的にはユーザーはＬＣＤ４０２の画面４０２０、又はＡＶ出力端子２１６に接続したＴＶセット４０４の画面４０４０に表示される再生画像選択画面を参照して再生したい画像を選択する。この際、図５(a) に示すＬＣＤ４０２の画面４０２０に表示される再生画像選択画面と、図５(b) に示すＡＶ出力ケーブル４０３に接続されたＴＶセット４０４の画面４０４０に表示される再生画像選択画面とは独立した表示となり、それぞれの再生画像選択画面には動画像の先頭又は途中の１コマがサムネイルとして図５(a),  図５(b) の模式図に示すように配列して表示される。
【０１０３】
ユーザはＬＣＤ４０２に再生させたい画像をＬＣＤ４０２の画面４０２０に表示された再生画像選択画面中のサムネイルＴＮ１乃至ＴＮ６から本体キー４０５の操作により、またＡＶ出力ケーブル４０３に接続されたＴＶセット４０４に再生させたい画像をＴＶセット４０４の画面４０４０に表示された再生画像選択画面中のサムネイルＴＮ１１乃至ＴＮ１６からリモコン４０６の操作により、それぞれ個別に選択することができる（ステップＳ１０３でＹＥＳ）。この例では、ＬＣＤ４０２の画面４０２０上でサムネイルＴＮ２（他のサムネイルに比して枠が強調表示されている）が選択され、ＴＶセット４０４の画面４０４０上でサムネイルＴＮ１５（他のサムネイルに比して枠が強調表示されている）が選択されたとする。
【０１０４】
なお、以下の説明においてはＬＣＤ４０２の画面４０２０上で選択されたサムネイルＴＮ２に対応する画像をＬＣＤ選択画像、ＴＶセット４０４の画面４０４０上で選択されたサムネイルＴＮ１５に対応する画像をモニタ選択画像という。
【０１０５】
但しこの際、ＬＣＤ４０２の画面４０２０とＴＶセット４０４の画面４０４０とに同一の再生画像選択画面（従って、それらに表示されるサムネイルも同一）を表示し、それぞれの再生画像選択画面において異なるサムネイルを選択することも可能である。
【０１０６】
いずれにしろ、上述のようにしてＬＣＤ４０２の画面４０２０上に表示された再生画像選択画面で選択されたサムネイルＴＮ２と、ＴＶセット４０４の画面４０４０上に表示された再生画像選択画面で選択されたサムネイルＴＮ１５とでそれぞれ特定される動画像をそれぞれのサムネイルＴＮ２，ＴＮ１５が選択された再生画像選択画面が表示されているＬＣＤ４０２，ＴＶセット４０４に再生することができる。
【０１０７】
ＣＰＵ１０５は上述のようにしてＬＣＤ４０２で選択された画像をＬＣＤ４０２の画面４０２０に、外部モニタであるＴＶセット４０４で選択された画像をＴＶセット４０４の画面４０４０にそれぞれ表示する（ステップＳ１０４）。具体的には、ＣＰＵ１０５は以下のような処理を実行する。
【０１０８】
ユーザーによりＬＣＤ４０２の画面４０２０に表示されている再生画像選択画面においてサムネイルＴＮ２が選択されたこと、及びＴＶセット４０４のの画面４０４０に表示されている再生画像選択画面においてサムネイルＴＮ１５が選択されたことは共にユーザＩＦ２１４を介して制御部１１２へ伝えられる。これにより、ユーザーが選択したサムネイルＴＮ２で特定されるＬＣＤ選択画像の圧縮データ、及びユーザーが選択したサムネイルＴＮ１５で特定されるモニタ選択画像の圧縮データがそれぞれの先頭側から一部ずつが記録媒体２０９から時分割処理で読み出され、記録ＩＦ２０８，ＤＭＡコントローラ１１１を介して第３ＳＤＲＡＭ２１７へ送られて一旦バッファリングされ、ヘッダー情報等の解析が行なわれた後、ＤＭＡコントローラ１１１を介して画像圧縮伸張部２０７へ送られる。これらの処理は、制御部１１２の記録ＩＦ制御部１０８，ＤＭＡコントローラ制御部１０４，画像圧縮伸張部制御部１０６によりそれぞれ制御されるが、記録ＩＦ制御部１０８及び画像圧縮伸張部制御部１０６においてはそれぞれの２画像再生切換部１０８２，１０６２が時分割処理を実行する。
【０１０９】
ところで、上述の処理に際して、第３ＳＤＲＡＭ２１７のバッファ領域２１７Ｂには図６に示すように、両画像データ用のバッファ領域が割り当てられる。即ち、図６に参照符号２１７Ｂ１にて示されているバッファ領域はＬＣＤ選択画像用のバッファ領域であり、参照符号２１７Ｂ２にて示されているバッファ領域はモニタ選択画像用のバッファ領域である。
【０１１０】
次に、ＣＰＵ１０５はプログラムＲＯＭ２１８に格納されているプログラムに従って、第３ＳＤＲＡＭ２１７の両バッファ領域２１７Ｂ１，２１７Ｂ２にそれぞれバッファリングされているＬＣＤ選択画像及びモニタ選択画像の圧縮データをＤＭＡコントローラ１１１を介して画像圧縮伸張部２０７へ時分割処理で送る。この際、見かけ上は２画像をそれぞれＬＣＤ４０２，ＴＶセット４０４に同時に再生する必要があるため、ＣＰＵ１０５はＬＣＤ選択画像，モニタ選択画像それぞれの１フレーム分ずつの圧縮データを第３ＳＤＲＡＭ２１７の両バッファ領域２１７Ｂ１，２１７Ｂ２から時分割で交互に読み出して画像圧縮伸張部２０７へ送る。
【０１１１】
一方、画像圧縮伸張部２０７は第２ＳＤＲＡＭ２０４をバッファとして、具体的には、図６に示した第３ＳＤＲＡＭ２１７の場合と同様に、図６に「（  ）」で示すように、第２ＳＤＲＡＭ２０４のバッファ領域２０４ＢにＬＣＤ選択画像用のバッファ領域２０４Ｂ１と、モニタ選択画像用のバッファ領域２０４Ｂ２との２画像分のバッファ領域を予め割り当てておき、第３ＳＤＲＡＭ２１７から読み出されて送られてきた各１フレーム分の画像データを伸張処理し、その途中結果を第２ＳＤＲＡＭ２０４内のそれぞれのバッファ領域２０４Ｂ１，２０４Ｂ２にバッファリングする。この際、画像圧縮伸張部２０７による画像データの伸張処理に時間がかかりすぎる場合、具体的には各１フレームの表示時間内で伸張処理を完了できない場合には、ＣＰＵ１０５はフレームレートを落とす（フレームを間引く）か、ＭＰＥＧ方式の量子化テーブルの高周波部分をカットする等の処理により、画像圧縮伸張部２０７の伸張処理負荷を軽減させる。
【０１１２】
なお、画像圧縮伸張部２０７がＭＰＥＧ方式で圧縮伸張処理を行なう場合、通常は前述した図２１に示すように第２ＳＤＲＡＭ２０４内のバッファ領域２０４Ｂは１つの画像データ用に割り当てられており、この１つの画像データ用に割り当てられている領域を用いてＩピクチャ，Ｐピクチャ，Ｂピクチャを再構築して出力する。しかし、本発明の画像再生装置であるビデオカメラ４０１では、２画面を同時に再生する場合には図６に示すように２つの画像データ用に割り当てられた領域２０４Ｂ１，２０４Ｂ２を使用してそれぞれの画像データのＩピクチャ、Ｐピクチャ、ＢピクチャをＭＰＥＧのデコーダである画像圧縮伸張部２０７を時分割で動作させて画像を構築する。
【０１１３】
この際、画像圧縮伸張部２０７によるＭＰＥＧの画像伸張処理能力が通常の再生時の２倍以上であれば２つの画像の再生は通常のスピード（フレームレート）で行なえる。しかしそうでない場合には、画像圧縮伸張部２０７による伸張処理の負荷を軽減するための工夫が必要となる。本発明では、以下の２つの方法を採用している。
【０１１４】
第１は、フレーム数を間引く方法であり、２つの画像データそれぞれのフレーム数を間引くことにより画像圧縮伸張部２０７の処理能力内で処理を行なえるようにする。これは、ＭＰＥＧ方式の場合、Ｉピクチャを間引くことはできないが、Ｂ，Ｐピクチャを間引いて再生するようにすれば、画質をそれほどには低下させる虞はない。
【０１１５】
第２は、ＭＰＥＧ処理に際して画像のサイズを小さくする（画素数を少なくする）方法である。具体的には、ＩＤＣＴ（逆離散コサイン変換）処理の負担を軽減させるために、逆量子化を行なう部分において高周波成分をカットすることにより、ＩＤＣＴにおける計算量を削減する。この結果、フレームレートを維持することができるようになる。
【０１１６】
このようにして画像圧縮伸張部２０７で伸張処理された各１フレームの画像データはＳＤＲＡＭＩＦ２０６を介して第１ＳＤＲＡＭ２０５へ送られる。第１ＳＤＲＡＭ２０５のバッファ領域２０５Ｂに関しても、図６に「（  ）」にて示すように、ＬＣＤ選択画像用及びモニタ選択画像用の２画像分のバッファ領域２０５Ｂ１，２０５Ｂ２を予め割り当てておき、それぞれのバッファ領域２０５Ｂ１，２０５Ｂ２にそれぞれの画像データをバッファリングする。
【０１１７】
同時に、表示ＩＦ制御部２１０は第１ＳＤＲＡＭ２０５のバッファ領域２０５Ｂ１からＬＣＤ選択画像のデータを読み出してＬＣＤ４０２へ、同じくバッファ領域２０５Ｂ２からモニタ選択画像のデータを読み出してＡＶ出力端子２１６へそれぞれ出力する。これにより、ＬＣＤ４０２には先にユーザがＬＣＤ４０２の画面４０２０に表示された再生画像選択画面で、ＴＶセット４０４には先にユーザがＴＶセット４０４の画面４０４０に表示された再生画像選択画面でそれぞれ選択したサムネイルＴＮ２，ＴＮ１５で特定される異なる画像がそれぞれ再生表示される。これらの処理は制御部１１２の画像圧縮伸張部制御部１０６，ＳＤＲＡＭＩＦ制御部１０２，表示ＩＦ制御部１０７により制御されるが、画像圧縮伸張部制御部１０６，ＳＤＲＡＭＩＦ制御部１０２及び表示ＩＦ制御部１０７においてはそれぞれの２画像再生切換部１０６２，１０２２及び１０７２が時分割処理を実行する。
【０１１８】
以上のようにしてＬＣＤ４０２及びＴＶセット４０４の双方にユーザが選択した画像が個別に表示される間に、ＣＰＵ１０５は本体キー４０５又はリモコン４０６が操作されたか否かを判断する（ステップＳ１０５，Ｓ１０９）。本体キー４０５が操作された場合（ステップＳ１０５でＹＥＳ）、ＣＰＵ１０５は次に「操作対象入れ換え」の設定が行なわれた否かを判断する（ステップＳ１０６）。この「操作対象入れ換え」の設定については後述する。
【０１１９】
「操作対象入れ換え」の設定が行なわれなかった場合（ステップＳ１０６でＮＯ）、ＣＰＵ１０５はフラグＦの値を調べ（ステップＳ１０７）、ここでは「１」であるので（ステップＳ１０７でＹＥＳ）、ＬＣＤ４０２に表示している画像を本体キー４０５の操作に応じて処理する（ステップＳ１０８）。具体的には、たとえば早送り、巻き戻し、スロー再生等の指示がユーザによる本体キー４０５の操作により与えられた場合にそれぞれに応じてＬＣＤ４０２に表示している画像を表示制御する。一方、リモコン４０６が操作された場合（ステップＳ１０９でＹＥＳ）、ＣＰＵ１０５はフラグＦの値を調べ（ステップＳ１１０）、ここでは「１」であるので（ステップＳ１１０でＹＥＳ）、ＴＶセット４０４に表示している画像をリモコン４０６の操作に応じて処理する（ステップＳ１１１）。具体的には、たとえば早送り、巻き戻し、スロー再生等の指示がユーザによるリモコン４０６の操作により与えられた場合にそれぞれに応じてＴＶセット４０４に表示している画像を表示制御する。
【０１２０】
次にＣＰＵ１０５は、本体キー４０５またはリモコン４０６から終了の指示が与えられたか否か、または画像の再生が終了したか否かを判断し（ステップＳ１１２）、いずれでもない場合は（ステップＳ１１２でＮＯ）、ステップＳ１０５へ処理を戻し、いずれかであった場合は（ステップＳ１１２でＹＥＳ）、リターンする。
【０１２１】
ところで先のステップＳ１０６において「操作対象入れ換え」の設定が行なわれた場合（ステップＳ１０６でＹＥＳ）には、ＣＰＵ１０５はフラグＦが「１」である場合には（ステップＳ１１３でＹＥＳ）、「０」にセットし（ステップＳ１１５）、フラグＦが「０」である場合には（ステップＳ１１３でＮＯ）、「１」にセットする（ステップＳ１１４）。
【０１２２】
従って、当初はフラグＦが「１」にセットされているので、前述した如く、ステップＳ１０７での判断結果が「ＹＥＳ」になる。従って、ＣＰＵ１０５は本体キー４０５の操作に応じてＬＣＤ４０２に表示している画像を処理する。またこの場合、ステップＳ１１０での判断結果も「ＹＥＳ」になるので、ＣＰＵ１０５はリモコン４０６の操作に応じてＴＶセット４０４に表示している画像を処理する。しかし、一旦ステップＳ１０６において「操作対象の入れ換え」が設定されてフラグＦの値が当初の「１」から「０」に変更されると、ステップＳ１０７での判断結果が「ＮＯ」になる。従って、ＣＰＵ１０５は本体キー４０５の操作に応じてＴＶセット４０４に表示している画像を処理する（ステップＳ１１１）。またこの場合、ステップＳ１１０での判断結果も「ＮＯ」になるので、ＣＰＵ１０５はリモコン４０６の操作に応じてＬＣＤ４０２に表示している画像を処理するようになる（ステップＳ１０８）。
【０１２３】
しかし、ステップＳ１０６において「操作対象入れ換え」の設定が再度行なわれた場合（ステップＳ１０６でＹＥＳ）には、ＣＰＵ１０５はフラグＦの値をそれまでとは逆にするので当初の状態、即ちステップＳ１０８では本体キー４０５の操作に応じてＬＣＤ４０２に表示している画像が処理され、ステップＳ１１１ではリモコン４０６の操作に応じてＴＶセット４０４に表示している画像が処理されるようになる。即ち、ステップＳ１０６において「操作対象入れ換え」の設定が行なわれる都度、本体キー４０５とリモコン４０６とによる操作対象の画像が反復的に入れ換わることになる。
【０１２４】
次に、図３のメインルーチンのステップＳ１５の「外部モニタ２画像表示モード（１）」のＣＰＵ１０５による処理手順について図７のフローチャートを参照して説明する。なおこの「外部モニタ２画像表示モード（１）」は外部モニタであるＴＶセット４０４のみが使用可能な場合に自動的に実行されるモードである。
【０１２５】
まずＣＰＵ１０５は外部モニタであるＴＶセット４０４の画面４０４０に再生画像選択画面を表示する（ステップＳ２００）。この場合、ＴＶセット４０４の画面４０４０に表示される再生画像選択画面は一つであり、複数のサムネイルが配列されている。ここでユーザが本体キー４０５又はリモコン４０６を操作して２個のサムネイルを選択すると（ステップＳ２０１でＹＥＳ）、ＣＰＵ１０５は次に表示スタイルの指定を受け付ける。表示スタイルとは具体的には、２画像をＴＶセット４０４の画面４０４０で左右に配置して表示するか、または上下に配置して表示するか、等である。
【０１２６】
ユーザがいずれかの表示スタイルを指定すると（ステップＳ２０２でＹＥＳ）、次にＣＰＵ１０５は指定された２画像を指定されたスタイルで外部モニタであるＴＶセット４０４の画面４０４０に表示し（ステップＳ２０３）、ＴＶセット４０４の画面４０４０の左側（又は上側）に表示された画像に本体キー４０５を、右側（又は下側）に表示された画像にリモコン４０６をそれぞれ割り当てる（ステップＳ２０４）。なおこの際、２画像を本来のサイズのままでＴＶセット４０４の画面４０４０に重複部分無しで同時に表示することが可能であれば画像の縮小は行なわれない。しかし、２画像を本来のサイズのままでＴＶセット４０４の画面４０４０に同時に表示することができない場合は２画像共に、またはいずれかの画像が縮小されて表示される。
【０１２７】
図８(a) は上述のようにしてＴＶセット４０４の画面４０４０に２つの画像ＩＭ１とＩＭ２とが左右に配列されて表示されている状態を示す模式図であり、図８(b) は同様にして２つの画像ＩＭ１とＩＭ２とが上下に配列されて表示されている状態を示す模式図である。
【０１２８】
そして、ＣＰＵ１０５は本体キー４０５又はリモコン４０６が操作されたか否かを判断する（ステップＳ２０５，Ｓ２０６）。本体キー４０５が操作された場合（ステップＳ２０５でＹＥＳ）、ＣＰＵ１０５は次に外部モニタであるＴＶセット４０４の画面４０４０の左側（又は上側）に表示している画像ＩＭ１を本体キー４０５の操作に応じて処理する（ステップＳ２０７）。具体的には、たとえば早送り、巻き戻し、スロー再生等の指示がユーザによる本体キー４０５の操作により与えられた場合にそれぞれに応じてＴＶセット４０４の画面４０４０の左側（又は上側）に表示している画像ＩＭ１を表示制御する。一方、リモコン４０６が操作された場合（ステップＳ２０６でＹＥＳ）、ＣＰＵ１０５は外部モニタであるＴＶセット４０４の画面４０４０の右側（又は下側）に表示している画像ＩＭ２をリモコン４０６の操作に応じて処理する（ステップＳ２０８）。具体的には、たとえば早送り、巻き戻し、スロー再生等の指示がユーザによるリモコン４０６の操作により与えられた場合にそれぞれに応じてＴＶセット４０４の画面４０４０の右側（又は下側）に表示している画像ＩＭ２を表示制御する。
【０１２９】
次にＣＰＵ１０５は、本体キー４０５またはリモコン４０６から終了の指示が与えられたか否か、または画像の再生が終了したか否かを判断し（ステップＳ２０９）、いずれでもない場合は（ステップＳ２０９でＮＯ）、ステップＳ２０５へ処理を戻し、いずれかであった場合は（ステップＳ２０９でＹＥＳ）、リターンする。
【０１３０】
次に、図３のメインルーチンのステップＳ１７の「ＬＣＤ２画像表示モード（１）」のＣＰＵ１０５による処理手順について図９のフローチャートを参照して説明する。なおこの「ＬＣＤ２画像表示モード（１）」はＬＣＤ４０２のみが使用可能な場合に自動的に実行されるモードである。
【０１３１】
まずＣＰＵ１０５はＬＣＤ４０２の画面４０２０に再生画像選択画面を表示する（ステップＳ３００）。この場合、ＬＣＤ４０２の画面４０２０に表示される再生画像選択画面は一つであり、複数のサムネイルが配列されている。ここでユーザが本体キー４０５又はリモコン４０６を操作して２個のサムネイルを選択すると（ステップＳ３０１でＹＥＳ）、ＣＰＵ１０５は次に表示スタイルの指定を受け付ける。表示スタイルとは具体的には、２画像をＬＣＤ４０２の画面４０２０で左右に配置して表示するか、または上下に配置して表示するか、等である。
【０１３２】
ユーザがいずれかの表示スタイルを指定すると（ステップＳ３０２でＹＥＳ）、次にＣＰＵ１０５は指定された２画像を指定されたスタイルでＬＣＤ４０２の画面４０２０に表示し（ステップＳ３０３）、ＬＣＤ４０２の画面４０２０の左側（又は上側）に表示された画像に本体キー４０５を、右側（又は下側）に表示された画像にリモコン４０６をそれぞれ割り当てる（ステップＳ３０４）。なおこの際、２画像を本来のサイズのままでＬＣＤ４０２の画面４０２０に重複部分無しで同時に表示することが可能であれば画像の縮小は行なわれない。しかし、２画像を本来のサイズのままでＬＣＤ４０２の画面４０２０に同時に表示することができない場合は２画像共に、またはいずれかの画像が縮小されて表示される。
【０１３３】
図１０(a) は上述のようにしてＬＣＤ４０２の画面４０２０に２つの画像ＩＭ１とＩＭ２とが左右に配列されて表示されている状態を示す模式図であり、図１０(b) は同様にして２つの画像ＩＭ１とＩＭ２とが上下に配列されて表示されている状態を示す模式図である。
【０１３４】
そして、ＣＰＵ１０５は本体キー４０５又はリモコン４０６が操作されたか否かを判断する（ステップＳ３０５，Ｓ３０６）。本体キー４０５が操作された場合（ステップＳ３０５でＹＥＳ）、ＣＰＵ１０５は次にＬＣＤ４０２の画面４０２０の左側（又は上側）に表示している画像ＩＭ１を本体キー４０５の操作に応じて処理する（ステップＳ３０７）。具体的には、たとえば早送り、巻き戻し、スロー再生等の指示がユーザによる本体キー４０５の操作により与えられた場合にそれぞれに応じてＬＣＤ４０２の画面４０２０の左側（又は上側）に表示している画像ＩＭ１を表示制御する。一方、リモコン４０６が操作された場合（ステップＳ３０５でＮＯ，ステップＳ３０６でＹＥＳ）、ＣＰＵ１０５はＬＣＤ４０２の画面４０２０の右側（又は下側）に表示している画像ＩＭ２をリモコン４０６の操作に応じて処理する（ステップＳ３０８）。具体的には、たとえば早送り、巻き戻し、スロー再生等の指示がユーザによるリモコン４０６の操作により与えられた場合にそれぞれに応じてＬＣＤ４０２の画面４０２０の左側（又は上側）に表示している画像ＩＭ２を表示制御する。
【０１３５】
次にＣＰＵ１０５は、本体キー４０５またはリモコン４０６から終了の指示が与えられたか否か、または画像の再生が終了したか否かを判断し（ステップＳ３０９）、いずれでもない場合は（ステップＳ３０９でＮＯ）、ステップＳ３０５へ処理を戻し、いずれかであった場合は（ステップＳ３０９でＹＥＳ）、リターンする。
【０１３６】
次に、図３のメインルーチンのステップＳ１９の「ＬＣＤ２画像表示モード（２）」のＣＰＵ１０５による処理手順について図１１，図１２のフローチャートを参照して説明する。なおこの「ＬＣＤ２画像表示モード（２）」はＬＣＤ４０２と外部モニタであるＴＶセット４０４との双方が使用可能であるが、ユーザの選択によりＬＣＤ４０２の画面４０２０にのみ２画像を同時に表示するモードである。
【０１３７】
まずＣＰＵ１０５はＬＣＤ４０２の画面４０２０に再生画像選択画面を表示する（ステップＳ４００）。この場合、ＬＣＤ４０２の画面４０２０に表示される再生画像選択画面は一つであり、複数のサムネイルが配列されている。ここでユーザが本体キー４０５又はリモコン４０６を操作して２個のサムネイルを選択すると（ステップＳ４０１でＹＥＳ）、ＣＰＵ１０５は次に表示スタイルの指定を受け付ける。表示スタイルとは具体的には、２画像をＬＣＤ４０２の画面４０２０で左右に配置して表示するか、または上下に配置して表示するか、等である。
【０１３８】
ユーザがいずれかの表示スタイルを指定すると（ステップＳ４０２でＹＥＳ）、次にＣＰＵ１０５は指定された２画像を指定されたスタイルでＬＣＤ４０２の画面４０２０に表示し（ステップＳ４０３）、ＬＣＤ４０２の画面４０２０の左側（又は上側）に表示された画像に本体キー４０５を、右側（又は下側）に表示された画像にリモコン４０６をそれぞれ割り当てる（ステップＳ４０４）。なおこの際、２画像を本来のサイズのままでＬＣＤ４０２の画面４０２０に重複部分無しで同時に表示することが可能であれば画像の縮小は行なわれない。しかし、２画像を本来のサイズのままでＬＣＤ４０２の画面４０２０に同時に表示することができない場合は２画像共に、またはいずれかの画像が縮小されて表示される。
【０１３９】
なおこの場合のＬＣＤ４０２の画面４０２０への２つの画像ＩＭ１とＩＭ２との表示状態は前述した図１０(a),図１０(b) に示した状態と同様である。
【０１４０】
そして、ＣＰＵ１０５は本体キー４０５又はリモコン４０６が操作されたか否かを判断する（ステップＳ４０５，Ｓ４０６）。本体キー４０５が操作された場合（ステップＳ４０５でＹＥＳ）、ＣＰＵ１０５は次にＬＣＤ４０２の画面４０２０の左側（又は上側）に表示している画像ＩＭ１を本体キー４０５の操作に応じて処理する（ステップＳ４０７）。具体的には、たとえば早送り、巻き戻し、スロー再生等の指示がユーザによる本体キー４０５の操作により与えられた場合にそれぞれに応じてＬＣＤ４０２の画面４０２０の左側（又は上側）に表示している画像ＩＭ１を表示制御する。一方、リモコン４０６が操作された場合（ステップＳ４０６でＹＥＳ）、ＣＰＵ１０５はＬＣＤ４０２の画面４０２０の右側（又は下側）に表示している画像ＩＭ２をリモコン４０６の操作に応じて処理する（ステップＳ４０８）。具体的には、たとえば早送り、巻き戻し、スロー再生等の指示がユーザによるリモコン４０６の操作により与えられた場合にそれぞれに応じてＬＣＤ４０２の画面４０２０の右側（又は下側）に表示している画像ＩＭ２を表示制御する。
【０１４１】
次にＣＰＵ１０５は一方の画像が停止している（ユーザの操作による場合）、または終了しているかを判断する（ステップＳ４１０）。いずれでもない場合（ステップＳ４１０でＮＯ）、ＣＰＵ１０５は処理を後述するステップＳ４１５へ進める。しかし、一方の画像が停止しているか、または終了している場合（ステップＳ４１０でＹＥＳ）、ＣＰＵ１０５はＬＣＤ４０２の画面４０２０に他方の画像（停止も終了もしていない方の画像：この場合は図１０(a) 又は図１０(b) に示す画像ＩＭ１とする）を図１０(a) 又は図１０(b) に示す状態から図１３(a) に示すように全画面表示させ（ステップＳ４１１）、外部モニタであるＴＶセット４０４の画面４０４０には再生画像選択画面を図１３(b) に示すように表示させる（ステップＳ４１２）。このＴＶセット４０４の画面４０４０に表示された再生画像選択画面からユーザがたとえばサムネイルＴＮ１６で特定される画像を新たに選択すると（ステップＳ４１３でＹＥＳ）、ＣＰＵ１０５はステップＳ４０４へ処理を戻す。この場合、ＬＣＤ４０２の画面４０２０にはステップＳ４０２で先にユーザが指定したスタイルでユーザが指定したサムネイルＴＮ１６で特定される画像ＩＭ１６とそれまで全画面表示されていた画像ＩＭ１との２画像がたとえば図１３(c) に示すように表示される。以降の処理は前述同様である。
【０１４２】
なお、ステップＳ４１３でユーザが新たな画像を選択しない場合（ステップＳ４１３でＮＯ）はやがて全ての画像が終了するので（ステップＳ４１４でＹＥＳ）、この場合にはＣＰＵ１０５は処理をリターンさせる。また、ＣＰＵ１０５はステップＳ４１０での判断結果がＮＯであった場合にユーザが終了を指示すると（ステップＳ４１５でＹＥＳ）、処理をリターンさせる。ユーザが終了を指示しない場合（ステップＳ４１５でＮＯ）はステップＳ４０５へ処理が戻される。
【０１４３】
次に、図３のメインルーチンのステップＳ２１の「外部モニタ２画像表示モード（２）」のＣＰＵ１０５による処理手順について図１４，図１５のフローチャートを参照して説明する。なおこの「外部モニタ２画像表示モード（２）」はＬＣＤ４０２と外部モニタであるＴＶセット４０４との双方が使用可能であるが、ユーザの選択により外部モニタであるＴＶセット４０４の画面４０４０にのみ２画像を同時に表示するモードである。
【０１４４】
まずＣＰＵ１０５はＴＶセット４０４の画面４０４０に再生画像選択画面を表示する（ステップＳ５００）。この場合、ＴＶセット４０４の画面４０４０に表示される再生画像選択画面は一つであり、複数のサムネイルが配列されている。ここでユーザが本体キー４０５又はリモコン４０６を操作して２個のサムネイルを選択すると（ステップＳ５０１でＹＥＳ）、ＣＰＵ１０５は次に表示スタイルの指定を受け付ける。表示スタイルとは具体的には、２画像を外部モニタであるＴＶセット４０４の画面４０４０で左右に配置して表示するか、または上下に配置して表示するか、等である。
【０１４５】
ユーザがいずれかの表示スタイルを指定すると（ステップＳ５０２でＹＥＳ）、次にＣＰＵ１０５は指定された２画像を指定されたスタイルでＴＶセット４０４の画面４０４０に表示し（ステップＳ５０３）、ＴＶセット４０４の画面４０４０の左側（又は上側）に表示された画像に本体キー４０５を、右側（又は下側）に表示された画像にリモコン４０６をそれぞれ割り当てる（ステップＳ５０４）。なおこの際、２画像を本来のサイズのままでＴＶセット４０４の画面４０４０に重複部分無しで同時に表示することが可能であれば画像の縮小は行なわれない。しかし、２画像を本来のサイズのままでＴＶセット４０４の画面４０４０に同時に表示することができない場合は２画像共に、またはいずれかの画像が縮小されて表示される。
【０１４６】
なおこの場合のＴＶセット４０４の画面４０４０への２つの画像ＩＭ１とＩＭ２との表示状態は前述した図８(a),図８(b) に示した状態と同様である。
【０１４７】
そして、ＣＰＵ１０５は本体キー４０５又はリモコン４０６が操作されたか否かを判断する（ステップＳ５０５，Ｓ５０６）。本体キー４０５が操作された場合（ステップＳ５０５でＹＥＳ）、ＣＰＵ１０５は次にＴＶセット４０４の画面４０４０の左側（又は上側）に表示している画像ＩＭ１を本体キー４０５の操作に応じて処理する（ステップＳ５０７）。具体的には、たとえば早送り、巻き戻し、スロー再生等の指示がユーザによる本体キー４０５の操作により与えられた場合にそれぞれに応じてＴＶセット４０４の画面４０４０の左側（又は上側）に表示している画像ＩＭ１を表示制御する。一方、リモコン４０６が操作された場合（ステップＳ５０５でＮＯ，ステップＳ５０６でＹＥＳ）、ＣＰＵ１０５はＴＶセット４０４の画面４０４０の右側（又は下側）に表示している画像ＩＭ２をリモコン４０６の操作に応じて処理する（ステップＳ５０８）。具体的には、たとえば早送り、巻き戻し、スロー再生等の指示がユーザによるリモコン４０６の操作により与えられた場合にそれぞれに応じてＴＶセット４０４の画面４０４０の右側（又は下側）に表示している画像ＩＭ２を表示制御する。
【０１４８】
次にＣＰＵ１０５は一方の画像が停止している（ユーザの操作による場合）、または終了しているかを判断する（ステップＳ５１０）。いずれでもない場合（ステップＳ５１０でＮＯ）、ＣＰＵ１０５は処理を後述するステップＳ５１４へ進める。しかし、一方の画像が停止しているか、または終了している場合（ステップＳ５１０でＹＥＳ）、ＣＰＵ１０５はＴＶセット４０４の画面４０４０に他方の画像（停止も終了もしていない方の画像：この場合は図８(a) 又は図８(b) に示す画像ＩＭ２とする）を図８(a) 又は図８(b) に示す状態から図１６(a) に示すように全画面表示させ（ステップＳ５１１）、ＬＣＤ４０２の画面４０２０には再生画像選択画面を図１６(b) に示すように表示させる（ステップＳ５１２）。このＬＣＤ４０２の画面４０２０に表示された再生画像選択画面からユーザがたとえばサムネイルＴＮ６で特定される画像を新たに選択すると（ステップＳ５１３でＹＥＳ）、ＣＰＵ１０５はステップＳ５０４へ処理を戻す。この場合、ＴＶセット４０４の画面４０４０にはステップＳ５０２で先にユーザが指定したスタイルでユーザが指定したサムネイルＴＮ６で特定される画像ＩＭ６とそれまで全画面表示されていた画像ＩＭ２との２画像がたとえば図１６(c) に示すように表示される。以降の処理は前述同様である。
【０１４９】
なお、ステップＳ５１４でユーザが新たな画像を選択しない場合はやがて全ての画像が終了するので（ステップＳ５１４でＹＥＳ）、この場合にはＣＰＵ１０５は処理をリターンさせる。
【０１５０】
なお、ＣＰＵ１０５はステップＳ５１４での判断結果がＮＯであった場合は処理をステップＳ５０５へ戻す。
【０１５１】
なお、上述した実施の形態においては、本発明の画像再生装置としてビデオカメラを例に挙げたが、ビデオカメラのような画像再生装置では装置自体にＬＣＤ等の表示装置が備えられている他、ＴＶセットのような外部モニタを接続することが可能である。このようなタイプの画像再生装置としては、動画像の撮影・再生も可能なデジタルスチルカメラ  ，動画像及び静止画像の撮影・再生が可能な携帯電話機，ＬＣＤ等の補助表示装置が装置自体に備えられたビデオデッキ（ＨＤＤ，ディスク媒体使用），装置自体に備えられている表示装置以外にＴＶセット等の外部表示装置にも接続可能なパーソナルコンピュータ等が考えられ、本発明をそれらにも適用することが可能であることはいうまでもない。
【０１５２】
また更に、装置自体に表示装置は備えていないとしても、複数の外部表示装置を接続可能なビデオデッキ（ＨＤＤ，ディスク媒体使用），ＤＶＤプレーヤ等にも本発明を適用することが可能であることはいうまでもない。
【図面の簡単な説明】
【０１５３】
【図１】本発明の画像再生装置としてのビデオカメラの制御部の構成例を示すブロック図である。
【図２】本発明の画像再生装置としてのビデオカメラのハードウェア構成を示すブロック図である。
【図３】本発明の画像再生装置としてのビデオカメラのＣＰＵのメインルーチンの処理手順を示すフローチャートである。
【図４】本発明の画像再生装置としてのビデオカメラのＣＰＵのサブルーチンの処理手順を示すフローチャートである。
【図５】本発明の画像再生装置としてのビデオカメラにより表示される再生画像選択画面の模式図である。
【図６】本発明の画像再生装置としてのビデオカメラのバッファメモリの画像用に割り当てられた領域を示す模式図である。
【図７】本発明の画像再生装置としてのビデオカメラのＣＰＵのサブルーチンの処理手順を示すフローチャートである。
【図８】本発明の画像再生装置としてのビデオカメラによる画像表示例を示す模式図である。
【図９】本発明の画像再生装置としてのビデオカメラのＣＰＵのサブルーチンの処理手順を示すフローチャートである。
【図１０】本発明の画像再生装置としてのビデオカメラによる画像表示例を示す模式図である。
【図１１】本発明の画像再生装置としてのビデオカメラのＣＰＵのサブルーチンの処理手順を示すフローチャートである。
【図１２】本発明の画像再生装置としてのビデオカメラのＣＰＵのサブルーチンの処理手順を示すフローチャートである。
【図１３】本発明の画像再生装置としてのビデオカメラによる画像表示例を示す模式図である。
【図１４】本発明の画像再生装置としてのビデオカメラのＣＰＵのサブルーチンの処理手順を示すフローチャートである。
【図１５】本発明の画像再生装置としてのビデオカメラのＣＰＵのサブルーチンの処理手順を示すフローチャートである。
【図１６】本発明の画像再生装置としてのビデオカメラによる画像表示例を示す模式図である。
【図１７】ビデオカメラを画像再生装置として利用した場合の全体のシステム構成例を示す模式図である。
【図１８】従来の画像再生装置としてのビデオカメラのハードウェア構成を示すブロック図である。
【図１９】従来の画像再生装置としてのビデオカメラの制御部の構成例を示すブロック図である。
【図２０】従来の画像再生装置としてのビデオカメラにより表示される再生画像選択画面の模式図である。
【図２１】従来の画像再生装置としてのビデオカメラのバッファメモリの画像用に割り当てられた領域を示す模式図である。
【符号の説明】
【０１５４】
１０１      信号処理部制御部
１０４      ＤＭＡコントローラ制御部
１０５      ＣＰＵ
１０６      画像圧縮伸張部制御部
１０７      表示ＩＦ制御部
１０９      ユーザーＩＦ制御部
１１１      ＤＭＡコントローラ
１１２      制御部
１１３      マイクロコンピュータ
２０７      画像圧縮伸張部
２０９      記録媒体
２１０      表示ＩＦ
２１４      ユーザーＩＦ
４０２      ＬＣＤ（液晶表示装置）
２１６      ＡＶ出力端子
４０１      ビデオカメラ
４０４      ＴＶセット
４０５      本体キー入力
４０６      リモコン
１０２２    ＳＤＲＡＭＩＦ制御部の２画像再生切換部
１０６２    画像圧縮伸張部制御部の２画像再生切換部
１０７２    表示ＩＦ制御部の２画像再生切換部
１０８２    記録ＩＦ制御部の２画像再生切換部
【図１】
2005080219.tif 000003
【図２】
2005080219.tif 000004
【図３】
2005080219.tif 000005
【図４】
2005080219.tif 000006
【図５】
2005080219.tif 000007
【図６】
2005080219.tif 000008
【図７】
2005080219.tif 000009
【図８】
2005080219.tif 000010
【図９】
2005080219.tif 000011
【図１０】
2005080219.tif 000012
【図１１】
2005080219.tif 000013
【図１２】
2005080219.tif 000014
【図１３】
2005080219.tif 000015
【図１４】
2005080219.tif 000016
【図１５】
2005080219.tif 000017
【図１６】
2005080219.tif 000018
【図１７】
2005080219.tif 000019
【図１８】
2005080219.tif 000020
【図１９】
2005080219.tif 000021
【図２０】
2005080219.tif 000022
【図２１】
2005080219.tif 000023